(57)【特許請求の範囲】
【請求項１】
背面から延びるコードを備え正面からコネクタに嵌合したプラグが前記コネクタから抜けることを防止するプラグ抜け止め構造であって、
前記コネクタと、該コネクタに隣接して前記プラグの挿抜方向と平行に設けられた設置面とを備え、該設置面に前記プラグの挿抜方向に延びる溝が形成されたケースと、
前記プラグの両側面及び背面を覆う壁面部と、前記プラグの挿抜方向と直交するように設けられた一つの固定用穴を介して前記ケースの前記設置面へ固定用ネジによって共締め固定される取付部と、前記壁面部の前記プラグの背面を覆う部分に前記設置面と当接する側の端部から前記コードが通過可能な幅で切り込まれたスリットと、前記溝に係合する凸部とを備えたホルダとを有し、
前記凸部と前記溝との係合により、前記固定用ネジを中心とした前記ホルダの回転を抑制することを特徴とするプラグ抜け止め構造。
【請求項２】
前記固定用穴は、前記プラグの挿抜方向に延びる長穴状であることを特徴とする請求項１に記載のプラグ抜け止め構造。
【請求項３】
前記ホルダ及び前記ケースは、互いに係合する山谷形状を備えることを特徴とする請求項１又は２に記載のプラグ抜け止め構造。
【請求項４】
前記ホルダは、前記プラグと当接する部分に弾性体を備えることを特徴とする請求項１から３のいずれか１項に記載のプラグ抜け止め構造。
【発明の詳細な説明】
【技術分野】
【０００１】
本発明は、プラグの抜け止め構造に関し、特に、プラグ自身にネジやツメなどの構造がなく、圧力のみでプラグをコネクタに対して保持しているプラグの抜け止め構造に関する。
【背景技術】
【０００２】
特許文献１に開示されるコネクタの抜け防止構造では、プラグを覆うようにＬ字形の金具が設置され、プラグのコードが出ている背面に接する部位にコードを通すためのスリットを備えた形状になっている。
【０００３】
また、Ｌ字形の金具はスリットが入っていない側をプラグが嵌合しているコネクタに取り付けられている。
【０００４】
特許文献２に開示される発明は、抜け止め具の本体が筒状になっており、筒の中にプラグを入れ、プラグのコードが通るように切り欠きがされた蓋を筒状本体に設置することによってプラグの抜け止めを行っている。
【０００５】
また、筒形状の本体はコネクタ側へツメによって固定されている。
【先行技術文献】
【特許文献】
【０００６】
【特許文献１】実開平４−１１９９７１号公報
【特許文献２】特開２００６−２０２６３０号公報
【発明の概要】
【発明が解決しようとする課題】
【０００７】
特許文献１に記載のコネクタの抜け防止構造では、抜け止め用のホルダ金具がＬ字状をしており、片側面のみを固定している。そのため、片持ち梁状にしか固定されていないＬ字状のホルダ金具は、無理矢理プラグを引き抜こうとした際に変形し、プラグを抑えることができなくなり、プラグが抜けてしまうおそれがある。
【０００８】
特許文献２に記載の発明では、抜け止め具の本体に対する固定方法が抜け止め具のツメによる固定のみであるため、抜け止めの効果が小さい。また、本体が筒状になっているため、筒内に入るプラグに対してのみ使用可能であり、プラグ形状が限定されてしまう。
【０００９】
さらに、特許文献１、２に記載の発明に共通して、プラグを抜け方向から抑える箇所が平面形状をしているため、昨今の曲面などの様々な外表面を有するプラグに対しては抜け止めホルダがプラグに対して接する面積が小さくなり、効果的な抜け止めができない可能性がある。
【００１０】
本発明は、上記に鑑みてなされたものであって、様々な形状のプラグを確実に抜け止め固定できるプラグ抜け止め構造を得ることを目的とする。
【課題を解決するための手段】
【００１１】
上述した課題を解決し、目的を達成するために、本発明は、背面から延びるコードを備え正面からコネクタに嵌合したプラグがコネクタから抜けることを防止するプラグ抜け止め構造であって、コネクタと、コネクタに隣接してプラグの挿抜方向と平行に設けられた設置面とを備えたケースと、プラグの両側面及び背面を覆う壁面部と、プラグの挿抜方向と直交するように設けられた固定用穴を介してケースの設置面へ固定される取付部と、壁面部のプラグの背面を覆う部分に設置面と当接する側の端部からコードが通過可能な幅で切り込まれたスリットとを備えたホルダとを有することを特徴とする。
【発明の効果】
【００１２】
本発明によれば、様々な形状のプラグを収容可能なコの字状のホルダを、コネクタが設置されているケースにネジ固定することによってプラグの抜け止めを確実に行えるという効果を奏する。
【図面の簡単な説明】
【００１３】
【図１】図１は、本発明にかかるプラグ抜け止め構造の実施の形態１の構成を示す分解斜視図である。
【図２】図２は、実施の形態１のプラグ抜け止め構造の平面図である。
【図３】図３は、実施の形態１のプラグ抜け止め構造の後面図である。
【図４】図４は、プラグ抜け止め構造の断面図である。
【図５】図５は、プラグ抜け止め構造の部分拡大断面図である。
【図６】図６は、プラグ抜け止め構造の断面図である。
【図７】図７は、本発明にかかるプラグ抜け止め構造の実施の形態２の構成を示す分解斜視図である。
【図８】図８は、本発明にかかるプラグ抜け止め構造の実施の形態３の構成を示す分解斜視図である。
【図９】図９は、実施の形態３のプラグ抜け止め構造の平面図である。
【図１０】図１０は、プラグ抜け止め構造の断面図である。
【発明を実施するための形態】
【００１４】
以下に、本発明にかかるプラグ抜け止め構造の実施の形態を図面に基づいて詳細に説明する。なお、この実施の形態によりこの発明が限定されるものではない。
【００１５】
実施の形態１．
図１は、本発明にかかるプラグ抜け止め構造の実施の形態１の構成を示す分解斜視図である。図２は、実施の形態１のプラグ抜け止め構造の平面図である。図３は、実施の形態１のプラグ抜け止め構造の後面図である。本実施の形態のプラグ抜け止め構造は、ホルダ１、弾性体２、固定用ネジ３、プラグ４、ケース５及びコネクタ６を備える。
【００１６】
ホルダ１は、壁面部１０と取付部１１とを有する。壁面部１０は、プラグ４の両側面及びプラグ４のコード４ａが出ている背面を覆うように壁が連なって上面視略コの字形状をしている。また、ホルダ１のプラグ４の後面と接する部分は、コード４ａが通過可能な幅のスリット１ａを有している。図４は、プラグ抜け止め構造の断面図であり、図２におけるＩＶ−ＩＶ断面を示している。図４に示すように、スリット１ａはホルダ１をケース５に取り付けた際、ケース５によって閉じられ、コード４ａの動きを規制する。したがって、スリット１ａの端部からコード４ａが抜けてしまう恐れはない。図２に示すように、ホルダ１は、プラグ４の側面との間に隙間を持ち、かつ、両側面及び後面以外はプラグ４に対し開放された形状となっているため、プラグ４が特定の大きさでなくても取り付けが可能である。
【００１７】
取付部１１は、プラグ４のコネクタ６との嵌合方向に対し垂直な穴１ｂを有し、固定用ネジ３でネジ穴５ｂに共締めされることによって、ケース５にコネクタ６と隣接して設けられているプラグ４の挿抜方向と平行になった設置面５ｃに固定される。固定用ネジ３はプラグ４の抜け方向に対し垂直方向にあるため、プラグ４の抜ける力に対しホルダ１を強固に固定することができ、抜け防止効果を高めている。
【００１８】
図５は、プラグ抜け止め構造の部分拡大断面図である。図４、図５に示すように、ホルダ１のケース５と接触する部分に、プラグ４の抜け方向と平行に線状の突起１ｃを設ける。一方、ケース５の設置面５ｃには、溝５ａを形成する。ホルダ１をケース５に設置したとき、突起１ｃは溝５ａに係合する。この凹凸の係合により、固定用ネジ３を中心としたホルダ１の回転を抑制できる。なお、ホルダ１とケース５との間の摩擦係数が大きい場合には、固定用ネジ３を締めた際に圧力で生じる摩擦力によってホルダ１の回転を抑制できるため、突起１ｃや溝５ａを省略した構成とすることも可能である。
【００１９】
図６は、プラグ抜け止め構造の断面図であり、図３におけるＶＩ−ＶＩ断面を示している。図６に示すように、ホルダ１には、ホルダ１とプラグ４との間に挟まるように弾性体２が設置されている。プラグ４をホルダ１に取り付ける際、弾性体２がプラグ４の形状に合わせて変形し、プラグ４との接触面積が拡大する。弾性体２とプラグ４との接触面積が大きくなることによって、プラグ４を無理矢理抜こうとした際、ホルダ１全体でプラグ４の抜き取り方向の力を受けることが可能となり、プラグ４の抜き取り方向の力を分散させることができるようになる。これにより、プラグ４やホルダ１が変形してプラグ４がスリット１ａを通り抜けてしまうことを確実に防止でき、プラグ４の抜け防止効果を高めることができる。また、弾性体２は様々な形状に変形できるため、プラグ４が複雑な形状になった場合でも弾性体２はプラグ４の形状に合わせて変形し、ホルダ１はプラグ４を広い接触面積で受けることができる。
【００２０】
なお、ホルダ１の壁面部１０は、上面視略コの字状で、スリット１ａが設けられた壁面はコの字の中央に位置するために全体的に剛性が高くなっている。このため、弾性体２を省略した構成とした場合でも、プラグ４を無理矢理引き抜こうとした際の力でホルダ１が変形を起こすことはない。
【００２１】
このように、本実施の形態においては、プラグを保持するホルダ形状をプラグの両側面とコードが出ている後面とをコの字状に覆う形状としているため、ホルダ自体の剛性を高めつつ、様々な形状のプラグがホルダ内に収めることが可能である。また、ホルダの固定に関しては、コネクタが設置されているケースに対しネジによる固定と、コネクタが設置されているケースに設けられた溝にコの字状のホルダが嵌ることとによって強固な抜け止め効果を奏する。さらに、ホルダがプラグに接する部分には弾性体を配置し、プラグの後面が平面でなくてもプラグに合わせた形状に変形して、抜け止め効果が得られる。
【００２２】
実施の形態２．
図７は、本発明にかかるプラグ抜け止め構造の実施の形態２の構成を示す分解斜視図である。本実施の形態においては、ホルダ１の穴１ｂは、プラグ４の全長方向に沿った長穴となっている点が実施の形態１と異なっている。これにより、ホルダ１のケース５に対する取り付け位置を変更可能となり、特定の長さに限らず、様々な長さのプラグ４に対応可能である。
【００２３】
この他については実施の形態１と同様であるため、重複する説明は割愛する。
【００２４】
実施の形態３．
図８は、本発明にかかるプラグ抜け止め構造の実施の形態３の構成を示す分解斜視図である。図９は、実施の形態３のプラグ抜け止め構造の平面図である。図１０は、プラグ抜け止め構造の断面図であり、図９におけるＸ−Ｘ断面を示している。本実施の形態においては、ホルダ１の突起１ｃとケース５の溝５ａとに山谷形状が設けられている点が実施の形態２と異なっている。
【００２５】
ホルダ１をケース５に設置した際、突起１ｃ側の山部と溝５ａ側の谷部、又は、突起１ｃ側の谷部と溝５ａ側の山部が係合する。
【００２６】
突起１ｃ及び溝５ａの山谷形状が係合した面は、プラグ４がコネクタ６から抜ける方向から見ると垂直に近い傾斜となっており、プラグ４をコネクタ６に差し込む方向から見ると水平に近い傾斜となっている。これにより、ホルダ１がプラグ４とともにプラグ４がコネクタ６から抜ける方向へ移動しないようにして、ホルダ１がプラグ４の抜けを規制するようにしている。また、ホルダ１はプラグ４をコネクタ６に差し込む方向には山谷を乗り越えてスライド可能となっていて、プラグ４のコネクタ６への差し込み方向に関しては、ホルダ１の設置位置を変更しやすくなっている。
【００２７】
なお、固定用ネジ３を締めた状態では、ホルダ１はケース５に密着しているため、プラグ４のコネクタ６への差し込み方向へのホルダ１の動きも規制される。このように、ホルダ１の突起１ｃとケース５の溝５ａとの山谷形状と固定用ネジ３によるホルダ１のケース５に対する動きの規制とによって、プラグ４の抜け防止効果を強固に得られる。
【００２８】
なお、山谷のピッチを細かく設定することにより、様々な長さのプラグ４に対して、ホルダ１の設置位置を細かく設定することが可能である。
【００２９】
この他については実施の形態２と同様であるため、重複する説明は割愛する。
【符号の説明】
【００３０】
１  ホルダ
１ａ  スリット
１ｂ  穴
１ｃ  突起
２  弾性体
３  固定用ネジ
４  プラグ
４ａ  コード
５  ケース
５ａ  溝
５ｂ  ネジ穴
５ｃ  設置面
６  コネクタ
１０  壁面部
１１  取付部
【図１】
0005595315.tif 000002
【図２】
0005595315.tif 000003
【図３】
0005595315.tif 000004
【図４】
0005595315.tif 000005
【図５】
0005595315.tif 000006
【図６】
0005595315.tif 000007
【図７】
0005595315.tif 000008
【図８】
0005595315.tif 000009
【図９】
0005595315.tif 000010
【図１０】
0005595315.tif 000011